(57)【要約】【課題】ティッシュボックスに代表される各種のボックスに対して、小型で取り付けがしやすく、しかも安定した取り付け強度が得られるボックス用ホルダを提供する。【解決手段】断面略Ｌ字型の側壁部３とその端部を覆う上板部９及び下板部１０で構成し、上板部９と下板部１０の間隔はボックスＴの側面の幅に沿うように形成され、上記側壁部３の一辺３ａ側には、押し込んだ状態でボックスＴの側面に形成されている解体用切り込みＫの上方に挿入可能で押し込みを解除すると該解体用切り込みＫの下壁Ｍの内側に復元力で圧接する弾性舌片５が設けられ、他辺３ｂ側には各種器材への取り付け部が形成されるボックス用ホルダ１とした。なお、取り付け部には磁石６等が用いられる。【選択図】図３
2004097352.tif 000002
【特許請求の範囲】
【請求項１】
断面略Ｌ字型の側壁部とその端部を覆う上板部及び下板部で構成され、上記上板部と下板部の間隔はボックスの側面の幅に沿うように形成されており、上記側壁部の一辺側には、押し込んだ状態でボックスの側面に形成されている解体用切り込みの上方に挿入可能で押し込みを解除すると該解体用切り込みの下壁の内側に復元力で圧接する弾性舌片が切り込みを介して設けられ、他辺側には各種器材への取り付け部が形成されていることを特徴とするボックス用ホルダ
【請求項２】
側壁部及び上板部並びに下板部は差し込み形式の展開形状に構成されており、組み立てることにより形成されることを特徴とする請求項１に記載のボックス用ホルダ
【請求項３】
取り付け部は磁石が配置されていることを特徴とする請求項１または２に記載のボックス用ホルダ
【請求項４】
ボックスの両側面に対応すべく、一対のボックス用ホルダで構成することを特徴とする請求項１〜３のいずれかに記載のボックス用ホルダ
【発明の詳細な説明】
【０００１】
【発明の属する技術分野】
本発明は、ティッシュ入りのボックスに代表される側面に解体用の切り込みが形成されている紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等に対する取り付け用としてのボックス用ホルダは多くの構造が知られていると共に多数出願されている。その内、ティッシュボックスの長手方向の側面を利用したものとしては特開平１０−２０１６５９号公報に表されるように、ティッシュボックスの長手方向の寸法に一致、あるいは調整して一致させることのできる基片の両側端に側片を立設させ、そこに設けられた保持爪によりティッシュボックスを保持する構造や、特開２００２−１２８１６３号公報に表されるような、ティッシュボックスの長手方向の両側面に形成される解体用穴に各々差し込む二つの鉤先部付きフックとその間を連結する基材を一体的に形成したティッシュケースホルダーが公知となっている。
【特許文献１】特開平１０−２０１６５９号公報
【特許文献２】特開２００２−１２８１６３号公報
【０００３】
【発明が解決しようとする課題】
しかしながら、これら従来の構成によると、前者はティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすく、後者はティッシュケースホルダーに一体的に構成された鉤先部付きフックをティッシュボックスの両側面に形成された解体用穴に強制的に差込むためティッシュボックスが損傷しやすく、更に長さの短いボックスには対応できないものであった。また、両者共にティシュボックスの長手方向の長さと略同一の基片または基材が構成されているため大型化し、梱包や収納性で不都合が生じるものであった。
そこで、本発明は小型で取り付け作業がしやすく、しかも安定した取り付け強度も得られるボックス用ホルダ提供することを目的とする。
【０００４】
【課題を解決するための手段】
本発明は上記課題を解決するために、断面略Ｌ字型の側壁部とその端部を覆う上板部及び下板部で構成され、上記上板部と下板部の間隔はボックスの側面の幅に沿うように形成されており、上記側壁部の一辺側には、押し込んだ状態でボックスの側面に形成されている解体用切り込みの上方に挿入可能で押し込みを解除すると該解体用切り込みの下壁の内側に復元力で圧接する弾性舌片が切り込みを介して設けられ、他辺側には各種器材への取り付け部が形成されるように構成されたボックス用ホルダであり、ボックスの解体用切り込みに簡単かつ確実に取り付けることができる。
【０００５】
なお、側壁部及び上板部並びに下板部を差し込み形式の展開形状に構成し、使用時に組み立てるようにすれば、未使用時に薄板状のものとして梱包することができるので、梱包作業性や収納性の優れたものになる。
【０００６】
また、取り付け部に磁石を配置する構成にすると、コンパクトな形状となり、強磁性体物品に磁気吸着で簡単に取り付けることができる。
【０００７】
本発明は、小型のボックスには片方の解体用切り込み部のみで対応できるが、長い幅を有するボックス等にはボックスの両側面に対応すべく、一対のボックス用ホルダで構成するようにしても良い。
【０００８】
【発明実施の形態】
本発明におけるボックス用ホルダは、ティッシュボックス等のボックスの側面にミシン目等で設けられた解体用切り込みを利用して取り付けることを特徴とするものであり、以下実施例に沿って詳細に説明する。
【０００９】
図１（ａ）及び（ｂ）と図２（ａ）及び（ｂ）は、本発明の第１の実施例を示す。
【００１０】
図１（ａ）の展開図に表されるように、本実施例においては、ボックス用ホルダ１の基材１ａは厚さ約１〜１．５ｍｍ程度のプラスチック製薄板或いは厚紙製等の板状部材を用い、各部は２ａ，２ｂ，２ｃ，２ｄ，２ｅ，２ｆ、２ｇに表す境界線の位置でヒンジ状に折り曲げ自在に構成されている。
【００１１】
３ａは側壁部３の一辺であり中央部の境界線２ｃ寄りに切り込み４により弾性舌片５が形成されている。なお、縦寸法はボックスの側面が挿入可能な値に設定されティシュボックス用の場合約１２ｃｍ、横寸法は４ｃｍ程度となっている。
また、切り込み４の端部は図に表すように小孔状に仕上げられ繰り返し使用にも耐えられるようになっている。
【００１２】
また、３ｂは側壁部３の他辺であり、各種器材への取り付け部が形成される。本実施例においては、板状の磁石６がＡ―Ａ拡大断面図である図１（ｂ）に示すようにカシメ具７，７により取り付けられている。なお、板状の磁石６としてはハードフェライト粉末と有機高分子粘結材からなるボンド磁石等が用いられる。但し、磁石は図に示すような１枚の板状のものに限らず複数で構成してもよく、その場合は磁力の強い小型のネオジ磁石が好ましく用いられる。さらに、取り付け方法も接着等適宜の方法で行っても良い。
【００１３】
８ａ，８ｂは側壁部の他辺３ｂからの延設部であり、境界線２ｄと２ｅの間及び２ｆと２ｇの間には下述する差し込み片１１ａ及び１１ｂが挿入する切り込み１２ａ，１２ｂが形成されている。なお、これらの切り込み１２ａ，１２ｂの端部も図に表されるように小孔状に仕上げるのが好ましい。
【００１４】
また、９は上板部、１０は下板部であり夫々の端部には差し込み片１１ａ，１１ｂが設けられている。この差し込み片１１ａ，１１Ｂの根元は半円形に切り欠くのが好ましく、この場合の幅寸法は上記の切り込み１２ａ，１２ｂの寸法と同等もしくは若干大きめに設定しておけば差し込み状態で上記半円形の切り欠きが抜け止めとして作用することになる。
【００１５】
なお、各差し込み片及び切り込みは、本実施例に限らず適宜の位置や形状で実施しても良い。
【００１６】
以上の構成からなるボックス用ホルダ１は、磁石６側を外面とするように折り曲げて、上板部９の差し込み片１１ａと下板部１０の差し込み片１１ｂを境界線２ｄと２ｅの間及び２ｆと２ｇの間に形成された切り込み１２ａ，１２ｂに差込むと図２（ａ）に示す斜視図のように組み上げることができる。また、この状態から磁石６の配置方向を変えずに縦方向に１８０度回転させると図２（ｂ）に示すようにボックス用ホルダ１’は側壁部の一辺３ａ’及び弾性舌片５’をボックス用ホルダ１の対称位置に配置することができるので、一対の同一形状品でボックスの両側の端面に対応させることができる。
【００１７】
次に、本実施例におけるボックス用ホルダの取り付け方法及び作用について、ボックスの代表であるティッシュボックスを用いて説明する。
【００１８】
ティッシュボックスＴにおける長手方向の側面は、図３の取り付け前の斜視図に表すように上折り返し面Ｄと下折り返し面Ｅの端面を重ねてその間を接着にて固定するように形成されており、上折り返し面Ｄにおける下端中央部の下部に位置する下折り返し面Ｅに、ミシン目等で解体用切り込みＫが形成されている。なお、この解体用切り込みＫの形状は図示する円弧状以外のものもあるが、以下に示すボックス用ホルダ１の取り付けにおける作用は同じであるので説明は省略する。また、図中に示すＰはティッシュ取り出し口である。
【００１９】
そして、先ず、ティシュボックスＴにおける一方の長手方向の側面側に、ボックス用ホルダ１をその上面部９及び下面部１０が嵌入可能で、かつ、弾性舌片５がティシュボックスＴの解体用切り込みＫに対峙するように配置する。この時、図の想像線に示すようにティシュボックスＴの解体用切り込みＫの上壁Ｌは押し込まれて下壁Ｍと分離されるようにしておき、ボックス用ホルダ１の弾性舌片５も大きく押し込んだ状態にしておく。
【００２０】
次に、ボックス用ホルダ１の弾性舌部５を押し込んだ状態でティシュボックスＴの解体用切り込みＫの上方に差し込んだ後、弾性舌片５の押し込みを解除すると、図４の取り付け状態の拡大断面図に表されるように弾性舌片５は元の状態に復元しようとする力が作用して、ティシュボックスＴにおける解体用切り込みＫの下壁Ｍの内面を圧接する。この時、ティシュボックスＴの側面はボックス用ホルダ１の一辺３ａで移動不可能に保持されているので、ティシュボックスＴの側面にはボックス用ホルダ１がその狭着力で取り付けられることになる。
【００２１】
さらに、ティシュボックスＴにおける長手方向の他方の側面側にも同様な手順でボックス用ホルダ１’を取り付ければ、図５に示す取り付け完了状態の斜視図の如く、ティシュボックスＴの両側面にボックス用ホルダ１，１’が取り付けられる。この状態でボックス用ホルダ１，１’の磁石６，６’を図示しない強磁性体物品に近づければ磁気吸着力によりティシュボックスＴを強磁性体物品に取り付けることができる。
【００２２】
なお、ボックスが小型の場合は必ずしもボックス用ホルダをボックスの両側に用いる必要が無いことは言うまでもない。
【００２３】
図６は、本発明の第２の実施例を示す。
この実施例は、第１の実施例が展開形状であったのに換え、最初から仕上がり状態になるよう一体成形されたものである。即ち、図６（ａ）の斜視図に表されるようにボックス用ホルダ２１における基材２２は、厚さ２ｍｍ程度のプラスチック等の材料が使用され側壁部２３及び上板部２４並びに下板部２５が一体的に成形されている。そして、Ｂ−Ｂ拡大断面図である図６（ｂ）に表されるように、側壁部２３の一辺２３ａには、切り欠き溝２６を介して弾性舌片２７が形成され、他片２３ｂには磁石２８が接着等により取り付けられている。この実施例においてはヒンジ要素が無いため、高硬度の材料を使うことができて堅牢なものとすることができると共に一体成形品であるため自由な形状を採用することができ、特に弾性舌片２７の形状については曲げや耐久性に適した湾曲形状等を採用できる利点がある。
【００２４】
なお、本発明における各種器材への取り付け構造はこれまで述べた磁石以外でも変形して実施することができる。例えば、磁石に換えて両面粘着テープ等による接着構造で実施しても良いし、図７（ａ）に表すように側壁部の他辺３３ｂに切り欠き部３４を設けて、同部に、図示しない各種器材に形成された鉤状の突起物を引っ掛けることによる取り付け構造としても良い。また、図７（ｂ）に表すような吸盤３６を図７（ｃ）の断面図に示すように他片３３ｂに取り付ければ吸盤による吸着力で取り付けることもできる。この時、上記切り欠き部３４を図７（ａ）で表すような略瓢箪型切り欠き部３５に形成しておけば吸盤３６は着脱自在となるため、引っ掛け及び吸着の両構造を実施できることになる。
【００２５】
さらに、図１２に示すように磁石４８を有する取り付け部４３の上部及び下部に略瓢箪型切り欠き部４５，４５に形成すれば、磁気吸着、引っ掛け、吸着の３種類の取り付け構造を実施することもできる。なお、この略瓢箪型切り欠き部４５は同一のボックス用ホルダを二つで一対の使用を前提として上部及び下部に夫々設けたが、異なるボックス用ホルダで一対を構成する場合は、上部１箇所で行ってよいことは自明である。
【００２６】
本発明は、ティッシュボックスに使用することを主体に説明したが、それ以外でも、側面に孔部が形成された或いは形成することのできるボックスであれば良く、同様な構成から成るティッシュ以外の収納品用のボックス、薄板樹脂を紙同様に仕上げたボックス等、各種のボックスに使用することができる。
【００２７】
【発明の効果】
本発明は、ティッシュボックス等のボックスの側面に形成された一つ毎の解体用切り込み部に取り付けるボックス用ホルダとしたため、取り付け作業がしやすく、取り付けも確実にできるため安定した取り付け強度を得ることができる。
従って、小型のボックスには一つの解体用切り込み部だけで対応することができる。また、ボックスの両側に設けられた解体用切り込み部を利用する場合でも、夫々の側面に一対のボックス用ホルダを取り付ければよいことになるため、ティッシュボックス等の長手方向全体を覆う長さは必要では無く、ボックス用ホルダを小型化させる利点がある。
【図面の簡単な説明】
【図１】本発明による第１の実施例を表し、（ａ）は展開図、（ｂ）はＡ−Ａ拡大断面図を示す。
【図２】本発明による第１の実施例における組み立て状態の斜視図を表し、（ａ）は図１を手順どおり組み立てた場合、（ｂ）は（ａ）における磁石の配置方向を同一として１８０度回転した状態を示す。
【図３】本発明による第１の実施例におけるティッシュボックスに対するボックス用ホルダの取り付け前の斜視図を示す。
【図４】本発明による第１の実施例におけるティッシュボックスに対するボックス用ホルダの取り付け状態を表す拡大断面図を示す。
【図５】本発明による第１の実施例におけるティッシュボックスに対するボックス用ホルダの取り付け完了状態を表す斜視図を示す。
【図６】本発明による第２の実施例を表し、（ａ）は斜視図、（ｂ）はＢ−Ｂ拡大断面図を示す。
【図７】本発明による取り付け構造の変形例を表し、（ａ）は切り欠き部形状を表す側壁部他辺の略図、（ｂ）は吸盤の斜視図、（ｃ）は吸盤取り付け状態の中央断面図を示す。
【図８】本発明による取り付け構造の他の変形例を表す、側壁部他辺の正面図を示す。
【符号の説明】
Ｔ　ティッシュボックス
ｋ　解体用切り込み
Ｌ　上壁
Ｍ　下壁
１、１’ボックス用ホルダ
１ａ　基材
２ａ、２ｂ、２ｃ、２ｄ、２ｅ、２ｆ、２ｇ　境界線
３　側壁部
３ａ　一辺
３ｂ　他辺
４　切り込み
５　弾性舌片
６　磁石
７　カシメ具
８ａ、８ｂ　延設部
９　上板部
１０　下板部
１１ａ、１１ｂ　差し込み片
１２ａ、１２ｂ　切り込み
２１　ボックス用ホルダ
２２　基材
２３　側壁部
２３ａ　一辺
２３ｂ、３３ｂ、４３ｂ　他辺
２４　上板部
２５　下板部
２６　切り欠き溝
２７　弾性舌片
２８、４８　磁石
３４　切り欠き部
３５、４５　略瓢箪型切り欠き部
３６　吸盤
【図１】
2004097352.tif 000003
【図２】
2004097352.tif 000004
【図３】
2004097352.tif 000005
【図４】
2004097352.tif 000006
【図５】
2004097352.tif 000007
【図６】
2004097352.tif 000008
【図７】
2004097352.tif 000009
【図８】
2004097352.tif 000010
【手続補正書】
【提出日】平成15年7月7日(2003.7.7)
【手続補正１】
【補正対象書類名】明細書
【補正対象項目名】全文
【補正方法】変更
【補正の内容】
【特許請求の範囲】
【請求項１】断面略Ｌ字型の側壁部とその端部を覆う上板部及び下板部で構成され、上記上板部と下板部の間隔はボックスの側面の幅に沿うように形成されており、上記側壁部の一片側には、押し込んだ状態でボックスの側面に形成されている解体用切り込みの上方に挿入可能で押し込みを解除すると該解体用切り込みの下壁の内側に復元力で圧接する弾性舌片が切り込みを介して設けられ、他片側には各種器材への取り付け部が形成されていることを特徴とするボックス用ホルダ
【請求項２】側壁部及び上板部並びに下板部は差し込み形式の展開形状に構成されており、組み立てることにより形成されることを特徴とする請求項１に記載のボックス用ホルダ
【請求項３】取り付け部は磁石が配置されていることを特徴とする請求項１または２に記載のボックス用ホルダ
【請求項４】ボックスの両側面に対応すべく、一対のボックス用ホルダで構成することを特徴とする請求項１〜３のいずれかに記載のボックス用ホルダ
【発明の詳細な説明】
【０００１】
【発明の属する技術分野】
本発明は、ティッシュ入りのボックスに代表される側面に解体用の切り込みが形成されている紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等に対する取り付け用としてのボックス用ホルダは多くの構造が知られていると共に多数出願されている。その内、ティッシュボックスの長手方向の側面を利用したものとしては特開平１０−２０１６５９号公報に表されるように、ティッシュボックスの長手方向の寸法に一致、あるいは調整して一致させることのできる基片の両側端に側片を立設させ、そこに設けられた保持爪によりティッシュボックスを保持する構造や、特開２００２−１２８１６３号公報に表されるような、ティッシュボックスの長手方向の両側面に形成される解体用穴に各々差し込む二つの鉤先部付きフックとその間を連結する基材を一体的に形成したティッシュケースホルダーが公知となっている。
【特許文献１】特開平１０−２０１６５９号公報
【特許文献２】特開２００２−１２８１６３号公報
【０００３】
【発明が解決しようとする課題】
しかしながら、これら従来の構成によると、前者はティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすく、後者はティッシュケースホルダーに一体的に構成された鉤先部付きフックをティッシュボックスの両側面に形成された解体用穴に強制的に差込むためティッシュボックスが損傷しやすく、更に長さの短いボックスには対応できないものであった。また、両者共にティシュボックスの長手方向の長さと略同一の基片または基材が構成されているため大型化し、梱包や収納性で不都合が生じるものであった。そこで、本発明は小型で取り付け作業がしやすく、しかも安定した取り付け強度も得られるボックス用ホルダ提供することを目的とする。
【０００４】
【課題を解決するための手段】
本発明は上記課題を解決するために、断面略Ｌ字型の側壁部とその端部を覆う上板部及び下板部で構成され、上記上板部と下板部の間隔はボックスの側面の幅に沿うように形成されており、上記側壁部の一片側には、押し込んだ状態でボックスの側面に形成されている解体用切り込みの上方に挿入可能で押し込みを解除すると該解体用切り込みの下壁の内側に復元力で圧接する弾性舌片が切り込みを介して設けられ、他片側には各種器材への取り付け部が形成されるように構成されたボックス用ホルダであり、ボックスの解体用切り込みに簡単かつ確実に取り付けることができる。
【０００５】
なお、側壁部及び上板部並びに下板部を差し込み形式の展開形状に構成し、使用時に組み立てるようにすれば、未使用時に薄板状のものとして梱包することができるので、梱包作業性や収納性の優れたものになる。
【０００６】
また、取り付け部に磁石を配置する構成にすると、コンパクトな形状となり、強磁性体物品に磁気吸着で簡単に取り付けることができる。
【０００７】
本発明は、小型のボックスには片方の解体用切り込み部のみで対応できるが、長い幅を有するボックス等にはボックスの両側面に対応すべく、一対のボックス用ホルダで構成するようにしても良い。
【０００８】
【発明実施の形態】
本発明におけるボックス用ホルダは、ティッシュボックス等のボックスの側面にミシン目等で設けられた解体用切り込みを利用して取り付けることを特徴とするものであり、以下実施例に沿って詳細に説明する。
【０００９】
図１（ａ）及び（ｂ）と図２（ａ）及び（ｂ）は、本発明の第１の実施例を示す。
【００１０】
図１（ａ）の展開図に表されるように、本実施例においては、ボックス用ホルダ１の基材１ａは厚さ約１〜１．５ｍｍ程度のプラスチック製薄板或いは厚紙製等の板状部材を用い、各部は２ａ，２ｂ，２ｃ，２ｄ，２ｅ，２ｆ、２ｇに表す境界線の位置でヒンジ状に折り曲げ自在に構成されている。
【００１１】
３ａは側壁部３の一片であり中央部の境界線２ｃ寄りに切り込み４により弾性舌片５が形成されている。なお、縦寸法はボックスの側面が挿入可能な値に設定されティシュボックス用の場合約１２ｃｍ、横寸法は４ｃｍ程度となっている。
また、切り込み４の端部は図に表すように小孔状に仕上げられ繰り返し使用にも耐えられるようになっている。
【００１２】
また、３ｂは側壁部３の他片であり、各種器材への取り付け部が形成される。本実施例においては、板状の磁石６がＡ―Ａ拡大断面図である図１（ｂ）に示すようにカシメ具７，７により取り付けられている。なお、板状の磁石６としてはハードフェライト粉末と有機高分子粘結材からなるボンド磁石等が用いられる。但し、磁石は図に示すような１枚の板状のものに限らず複数で構成してもよく、その場合は磁力の強い小型のネオジ磁石が好ましく用いられる。さらに、取り付け方法も接着等適宜の方法で行っても良い。
【００１３】
８ａ，８ｂは側壁部の他片３ｂからの延設部であり、境界線２ｄと２ｅの間及び２ｆと２ｇの間には下述する差し込み片１１ａ及び１１ｂが挿入する切り込み１２ａ，１２ｂが形成されている。なお、これらの切り込み１２ａ，１２ｂの端部も図に表されるように小孔状に仕上げるのが好ましい。
【００１４】
また、９は上板部、１０は下板部であり夫々の端部には差し込み片１１ａ，１１ｂが設けられている。この差し込み片１１ａ，１１ｂの根元は半円形に切り欠くのが好ましく、この場合の幅寸法は上記の切り込み１２ａ，１２ｂの寸法と同等もしくは若干大きめに設定しておけば差し込み状態で上記半円形の切り欠きが抜け止めとして作用することになる。
【００１５】
なお、各差し込み片及び切り込みは、本実施例に限らず適宜の位置や形状で実施しても良い。
【００１６】
以上の構成からなるボックス用ホルダ１は、磁石６側を外面とするように折り曲げて、上板部９の差し込み片１１ａと下板部１０の差し込み片１１ｂを境界線２ｄと２ｅの間及び２ｆと２ｇの間に形成された切り込み１２ａ，１２ｂに差込むと図２（ａ）に示す斜視図のように組み上げることができる。また、この状態から磁石６の配置方向を変えずに縦方向に１８０度回転させると図２（ｂ）に示すようにボックス用ホルダ１’は側壁部の一片３ａ’及び弾性舌片５’をボックス用ホルダ１の対称位置に配置することができるので、一対の同一形状品でボックスの両側の端面に対応させることができる。
【００１７】
次に、本実施例におけるボックス用ホルダの取り付け方法及び作用について、ボックスの代表であるティッシュボックスを用いて説明する。
【００１８】
ティッシュボックスＴにおける長手方向の側面は、図３の取り付け前の斜視図に表すように上折り返し面Ｄと下折り返し面Ｅの端面を重ねてその間を接着にて固定するように形成されており、上折り返し面Ｄにおける下端中央部の下部に位置する下折り返し面Ｅに、ミシン目等で解体用切り込みＫが形成されている。なお、この解体用切り込みＫの形状は図示する円弧状以外のものもあるが、以下に示すボックス用ホルダ１の取り付けにおける作用は同じであるので説明は省略する。また、図中に示すＰはティッシュ取り出し口である。
【００１９】
そして、先ず、ティシュボックスＴにおける一方の長手方向の側面側に、ボックス用ホルダ１をその上面部９及び下面部１０が嵌入可能で、かつ、弾性舌片５がティシュボックスＴの解体用切り込みＫに対峙するように配置する。この時、図の想像線に示すようにティシュボックスＴの解体用切り込みＫの上壁Ｌは押し込まれて下壁Ｍと分離されるようにしておき、ボックス用ホルダ１の弾性舌片５も大きく押し込んだ状態にしておく。
【００２０】
次に、ボックス用ホルダ１の弾性舌部５を押し込んだ状態でティシュボックスＴの解体用切り込みＫの上方に差し込んだ後、弾性舌片５の押し込みを解除すると、図４の取り付け状態の拡大断面図に表されるように弾性舌片５は元の状態に復元しようとする力が作用して、ティシュボックスＴにおける解体用切り込みＫの下壁Ｍの内面に圧接する。この時、ティシュボックスＴの側面はボックス用ホルダ１の一片３ａで移動不可能に保持されているので、ティシュボックスＴの側面にはボックス用ホルダ１がその狭着力で取り付けられることになる。
【００２１】
さらに、ティシュボックスＴにおける長手方向の他方の側面側にも同様な手順でボックス用ホルダ１’を取り付ければ、図５に示す取り付け完了状態の斜視図の如く、ティシュボックスＴの両側面にボックス用ホルダ１，１’が取り付けられる。この状態でボックス用ホルダ１，１’の磁石６，６’を図示しない強磁性体物品に近づければ磁気吸着力によりティシュボックスＴを強磁性体物品に取り付けることができる。
【００２２】
なお、ボックスが小型の場合は必ずしもボックス用ホルダをボックスの両側に用いる必要が無いことは言うまでもない。
【００２３】
図６は、本発明の第２の実施例を示す。
この実施例は、第１の実施例が展開形状であったのに換え、最初から仕上がり状態になるよう一体成形されたものである。即ち、図６（ａ）の斜視図に表されるようにボックス用ホルダ２１における基材２２は、厚さ２ｍｍ程度のプラスチック等の材料が使用され側壁部２３及び上板部２４並びに下板部２５が一体的に成形されている。そして、Ｂ−Ｂ拡大断面図である図６（ｂ）に表されるように、側壁部２３の一片２３ａには、切り欠き溝２６を介して弾性舌片２７が形成され、他片２３ｂには磁石２８が接着等により取り付けられている。この実施例においてはヒンジ要素が無いため、高硬度の材料を使うことができて堅牢なものとすることができると共に一体成形品であるため自由な形状を採用することができ、特に弾性舌片２７の形状については曲げや耐久性に適した湾曲形状等を採用できる利点がある。
【００２４】
なお、本発明における各種器材への取り付け構造はこれまで述べた磁石以外でも変形して実施することができる。例えば、磁石に換えて両面粘着テープ等による接着構造で実施しても良いし、図７（ａ）に表すように側壁部の他片３３ｂに切り欠き部３４を設けて、同部に、図示しない各種器材に形成された鉤状の突起物を引っ掛けることによる取り付け構造としても良い。また、図７（ｂ）に表すような吸盤３６を図７（ｃ）の断面図に示すように他片３３ｂに取り付ければ吸盤による吸着力で取り付けることもできる。この時、上記切り欠き部３４を図７（ａ）で表すような略瓢箪型切り欠き部３５に形成しておけば吸盤３６は着脱自在となるため、引っ掛け及び吸着の両構造を実施できることになる。
【００２５】
さらに、図８に示すように磁石４８を有する取り付け部４３の上部及び下部に略瓢箪型切り欠き部４５，４５に形成すれば、磁気吸着、引っ掛け、吸着の３種類の取り付け構造を実施することもできる。なお、この略瓢箪型切り欠き部４５は同一のボックス用ホルダを二つで一対の使用を前提として上部及び下部に夫々設けたが、異なるボックス用ホルダで一対を構成する場合は、上部１箇所で行ってよいことは自明である。
【００２６】
本発明は、ティッシュボックスに使用することを主体に説明したが、それ以外でも、側面に孔部が形成された或いは形成することのできるボックスであれば良く、同様な構成から成るティッシュ以外の収納品用のボックス、薄板樹脂を紙同様に仕上げたボックス等、各種のボックスに使用することができる。
【００２７】
【発明の効果】
本発明は、ティッシュボックス等のボックスの側面に形成された一つ毎の解体用切り込み部に取り付けるボックス用ホルダとしたため、取り付け作業がしやすく、取り付けも確実にできるため安定した取り付け強度を得ることができる。
従って、小型のボックスには一つの解体用切り込み部だけで対応することができる。また、ボックスの両側に設けられた解体用切り込み部を利用する場合でも、夫々の側面に一対のボックス用ホルダを取り付ければよいことになるため、ティッシュボックス等の長手方向全体を覆う長さは必要では無く、ボックス用ホルダを小型化させる利点がある。
【図面の簡単な説明】
【図１】本発明による第１の実施例を表し、（ａ）は展開図、（ｂ）はＡ−Ａ拡大断面図を示す。
【図２】本発明による第１の実施例における組み立て状態の斜視図を表し、（ａ）は図１を手順どおり組み立てた場合、（ｂ）は（ａ）における磁石の配置方向を同一として１８０度回転した状態を示す。
【図３】本発明による第１の実施例におけるティッシュボックスに対するボックス用ホルダの取り付け前の斜視図を示す。
【図４】本発明による第１の実施例におけるティッシュボックスに対するボックス用ホルダの取り付け状態を表す拡大断面図を示す。
【図５】本発明による第１の実施例におけるティッシュボックスに対するボックス用ホルダの取り付け完了状態を表す斜視図を示す。
【図６】本発明による第２の実施例を表し、（ａ）は斜視図、（ｂ）はＢ−Ｂ拡大断面図を示す。
【図７】本発明による取り付け構造の変形例を表し、（ａ）は切り欠き部形状を表す側壁部他片の略図、（ｂ）は吸盤の斜視図、（ｃ）は吸盤取り付け状態の中央断面図を示す。
【図８】本発明による取り付け構造の他の変形例を表す、側壁部他辺の正面図を示す。
【符号の説明】
Ｔ　ティッシュボックス
ｋ　解体用切り込み
Ｌ　上壁
Ｍ　下壁
１、１’ボックス用ホルダ
１ａ　基材
２ａ、２ｂ、２ｃ、２ｄ、２ｅ、２ｆ、２ｇ　境界線
３　側壁部
３ａ　一片
３ｂ　他片
４　切り込み
５　弾性舌片
６　磁石
７　カシメ具
８ａ、８ｂ　延設部
９　上板部
１０　下板部
１１ａ、１１ｂ　差し込み片
１２ａ、１２ｂ　切り込み
２１　ボックス用ホルダ
２２　基材
２３　側壁部
２３ａ　一片
２３ｂ、３３ｂ、４３ｂ　他片
２４　上板部
２５　下板部
２６　切り欠き溝
２７　弾性舌片
２８、４８　磁石
３４　切り欠き部
３５、４５　略瓢箪型切り欠き部
３６　吸盤